【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
リング形状であってその中心軸に対して垂直方向の少なくとも１つの面が周方向に分割して異なる極に交互に平面着磁されたマグネットと、
前記マグネットの着磁面に対向する複数の磁極歯を有するステータと、
前記中心軸を中心に回転可能に保持される軸部と、前記軸部に垂直な面に前記マグネットが固定される円盤部とを有する軟磁性材料から成るロータと、
前記マグネットの内周側かつ同軸上であって、前記中心軸方向に前記マグネットと略同じ位置に配置され、前記ステータに固定されて該ステータ及び前記円盤部を励磁するコイルと、
前記ステータに固定され、前記ロータの前記軸部を回転可能に支持する軟磁性材料より成る軸受とを有するアクチュエータにおいて、
前記ロータは、前記軸部の先端突部が前記軸受の底面側に当接或いは近接することで軸方向の位置決めがなされ、前記軸受の先端面は前記ロータの円盤部に近接するように延出しており、
前記マグネットは、前記ロータの円盤部の前記ステータに対向する面の外周側に固定され、
前記コイルは、前記ステータの前記マグネットと対向する面の該マグネットより内周側に固定されていることを特徴とするアクチュエータ。
【請求項２】
前記マグネットの外周側にあって、非磁性体材料からなるカバーに取り付けられた軟磁性材料からなる擬似ヨークを有することを特徴とする請求項１に記載のアクチュエータ。
【請求項３】
リング形状であってその中心軸に対して垂直方向の少なくとも１つの面が周方向に分割して異なる極に交互に平面着磁されたマグネットと、
前記マグネットの着磁面に対向する複数の磁極歯を有するステータと、
前記中心軸を中心に回転可能に保持される軸部と、前記軸部に垂直な面に前記マグネットが固定される円盤部とを有する軟磁性材料から成るロータと、
前記マグネットの内周側かつ同軸上であって、前記中心軸方向に略同じ位置に配置され、前記ステータに固定されて該ステータ及び前記円盤部を励磁するコイルと、
前記ロータの回転に応じて作動する出力部材と、
開口部を備えた地板と、
前記出力部材により駆動されて前記地板の開口部上を移動し、前記開口部を通過する光量を変化させる光量調節部材とを有する光量調節装置において、
前記ロータは、前記軸部の先端突部が前記軸受の底面側に当接或いは近接することで軸方向の位置決めがなされ、前記軸受の先端面は前記ロータの円盤部に近接するように延出しており、
前記マグネットは、前記ロータの円盤部の前記ステータに対向する面の外周側に固定され、
前記コイルは、前記ステータの前記マグネットと対向する面の該マグネットより内周側に固定されていることを特徴とする光量調節装置。
【手続補正２】
【補正対象書類名】明細書
【補正対象項目名】発明の名称
【補正方法】変更
【補正の内容】
【発明の名称】アクチュエータ及び光量調節装置
【手続補正３】
【補正対象書類名】明細書
【補正対象項目名】０００１
【補正方法】変更
【補正の内容】
【０００１】
本発明は、カメラ等の小型電子機器の駆動原として好適に搭載されるアクチュエータや、これを用いた光量調節装置に関するものである。
【手続補正４】
【補正対象書類名】明細書
【補正対象項目名】００１６
【補正方法】変更
【補正の内容】
【００１６】
ここで磁束の流れを参照すると、励磁コイル３０９を囲むハウジング３１７→外歯３０６→永久磁石３０１→磁性体３０３→永久磁石３０２→内歯３０５→ハウジング３１８となっている。永久磁石とは、マグネットのことである。ここでは磁束の入口、出口となる内歯３０５と外歯３０６が平面着磁されたマグネットに対向する為には、実際上、内歯と外歯がほぼ同一平面状にあることになる。また、磁性体３０３は単にバックメタルとして機能し、励磁コイル３０９，３１０には励磁されていない。このモータに必要な構成要素を軸方向の順にあげると、ａ）ハウジング３１７（ヨーク兼用）、ｂ）励磁コイル３０９、ｃ）内歯３０５、外歯３０６（磁極歯）、ｄ）マグネット（永久磁石３０１）、ｅ）磁性体３０３、ｆ）マグネット（永久磁石３０２）、ｇ）内歯３０５、外歯３０６（磁極歯）、ｈ）励磁コイル３１０、ｉ）ハウジング３１８（ヨーク兼用）となる。
【手続補正５】
【補正対象書類名】明細書
【補正対象項目名】００２３
【補正方法】変更
【補正の内容】
【００２３】
（発明の目的）
本発明の目的は、薄型に構成しながら、高効率を維持すると共に、多極化にも対応でき、組み立て性が良く、安価で製造できるアクチュエータ及びこれを駆動源とした光量調節装置を提供しようとするものである。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】変更
【補正の内容】
【００２５】
上記の目的を達成するために、本発明は、リング形状であってその中心軸に対して垂直方向の少なくとも１つの面が周方向に分割して異なる極に交互に平面着磁されたマグネットと、前記マグネットの着磁面に対向する複数の磁極歯を有するステータと、前記中心軸を中心に回転可能に保持される軸部と、前記軸部に垂直な面に前記マグネットが固定される円盤部とを有する軟磁性材料から成るロータと、前記マグネットの内周側かつ同軸上であって、前記中心軸方向に前記マグネットと略同じ位置に配置され、前記ステータに固定されて該ステータ及び前記円盤部を励磁するコイルと、前記ステータに固定され、前記ロータの前記軸部を回転可能に支持する軟磁性材料より成る軸受とを有するアクチュエータにおいて、前記ロータが、前記軸部の先端突部が前記軸受の底面側に当接或いは近接することで軸方向の位置決めがなされ、前記軸受の先端面が前記ロータの円盤部に近接するように延出しており、前記マグネットが、前記ロータの円盤部の前記ステータに対向する面の外周側に固定され、前記コイルが、前記ステータの前記マグネットと対向する面の該マグネットより内周側に固定されているアクチュエータとするものである。
【手続補正８】
【補正対象書類名】明細書
【補正対象項目名】００２６
【補正方法】変更
【補正の内容】
【００２６】
上記の目的を達成するために、本発明は、リング形状であってその中心軸に対して垂直方向の少なくとも１つの面が周方向に分割して異なる極に交互に平面着磁されたマグネットと、前記マグネットの着磁面に対向する複数の磁極歯を有するステータと、前記中心軸を中心に回転可能に保持される軸部と、前記軸部に垂直な面に前記マグネットが固定される円盤部とを有する軟磁性材料から成るロータと、前記マグネットの内周側かつ同軸上であって、前記中心軸方向に略同じ位置に配置され、前記ステータに固定されて該ステータ及び前記円盤部を励磁するコイルと、前記ロータの回転に応じて作動する出力部材と、開口部を備えた地板と、前記出力部材により駆動されて前記地板の開口部上を移動し、前記開口部を通過する光量を変化させる光量調節部材とを有する光量調節装置において、前記ロータが、前記軸部の先端突部が前記軸受の底面側に当接或いは近接することで軸方向の位置決めがなされ、前記軸受の先端面が前記ロータの円盤部に近接するように延出しており、前記マグネットが、前記ロータの円盤部の前記ステータに対向する面の外周側に固定され、前記コイルが、前記ステータの前記マグネットと対向する面の該マグネットより内周側に固定されている光量調節装置とするものである。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４４
【補正方法】削除
【補正の内容】